(57)【要約】    【課題】ハイベッド下方の空間等を良好に照らすことのできる照明装置が望まれていた。    【解決手段】横方向に長手で高さの低い空間に設置できるよう、全体が横方向に長手の細い形状をした構成とする。このため、金属製で中空状の支柱２４を設け、支柱２４によって蛍光管３１を保持する。蛍光管３１は、支柱２４の背面側に、支柱２４に沿って延びるように配置する。そうすると、蛍光管３１の発する光は、下方および後方に向かって照射され、前方側に照射される光は支柱２４により遮られて、直接利用者の目に入射しない。支柱２４の両端には右取付金具２１および左取付金具２２が備えられており、両端がハイベッド下方等に取り付けられるとともに、横方向長手の支柱２４の中央部は、中央係止部材２３によって係止されるので、安定した取り付けを行える。    【選択図】            図２
2006059735.tif 000002
【特許請求の範囲】
【請求項１】
高さの低い天面下方の横方向に延びる空間を照らすための照明装置であって、
金属製で、横方向に長く、中空状をした支柱と、
上記支柱の左端部の背面側に設けられ、支柱の左端部から右方向へ所定の長さ延び、その右端に蛍光管取付部を有する左ガイドと、
上記支柱の右端部の背面側に設けられ、支柱の右端部から左方向へ所定の長さ延び、その左端に蛍光管取付部を有する右ガイドと、
上記支柱の背面沿いに配置されて横方向に延び、左方が左ガイドの蛍光管取付部に、右方が右ガイドの蛍光管取付部にそれぞれ取り付けられる、支柱の上下方向寸法よりも直径の小さな蛍光管と、
上記支柱の背面側であって、左ガイドおよび右ガイド間に配置され、断面形状が後方へ突出する円弧状部を含む、上記蛍光管を覆うランプセードと、
上記支柱および左ガイドの左端に連結され、支柱および左ガイドから直交方向に上方へ突出する左取付金具と、
上記支柱および右ガイドの右端に連結され、支柱および右ガイドから直交方向に上方へ突出する右取付金具と、
上記支柱およびランプセードが貫通する保持孔を備え、支柱と直交方向に上方へ突出し、先端にフックを有する中央係止部材と、
を含むことを特徴とする照明装置。
【発明の詳細な説明】
【技術分野】
【０００１】
この発明は、高さの低い天面下方の空間、たとえばベッド下方の空間などを照明するための照明装置に関する。
【背景技術】
【０００２】
近年、日本の住宅事情等を考慮して、狭い空間を有効利用するために、いわゆるハイベッドと称される脚の長い背の高いベッドが提案され、ベッド下方の空間に机などを配置することが提案されている。
また、ベッドを上方に配置し、その下方に机を配置した組み合わせ家具も提案されている。（特開２００４−０２４４２５号公報）
【特許文献１】特開２００４−０２４４２５号公報
【発明の開示】
【発明が解決しようとする課題】
【０００３】
ベッドを室内空間の上方に配置し、ベッド下方に生じる空間に机などを配置して、空間の有効利用を図るという提案は存在するが、ベッド下方の空間に配置された机の天板上を良好に照明することができる照明装置については、従来、特に発明されていない。
ところが、いわゆるハイヘッドの下方空間に、ハイベッドの平面形状とほぼ同等の広がりを有する幅の広い天板を配置して、ベッド下に大きな机を設ける場合等を想定すると、その机上を良好に照明できる照明装置が望まれる。
【０００４】
この発明は、かかる背景のもとになされたもので、高さの低い天面下方の横方向に延びる空間、たとえばハイベッド下方の空間等を良好に照らすことのできる照明装置を提供することを目的とする。
【課題を解決するための手段】
【０００５】
この発明は、高さの低い天面下方の横方向に延びる空間を照らすための照明装置であって、金属製で、横方向に長く、中空状をした支柱と、上記支柱の左端部の背面側に設けられ、支柱の左端部から右方向へ所定の長さ延び、その右端に蛍光管取付部を有する左ガイドと、上記支柱の右端部の背面側に設けられ、支柱の右端部から左方向へ所定の長さ延び、その左端に蛍光管取付部を有する右ガイドと、上記支柱の背面沿いに配置されて横方向に延び、左方が左ガイドの蛍光管取付部に、右方が右ガイドの蛍光管取付部にそれぞれ取り付けられる、支柱の上下方向寸法よりも直径の小さな蛍光管と、上記支柱の背面側であって、左ガイドおよび右ガイド間に配置され、断面形状が後方へ突出する円弧状部を含む、上記蛍光管を覆うランプセードと、上記支柱および左ガイドの左端に連結され、支柱および左ガイドから直交方向に上方へ突出する左取付金具と、上記支柱および右ガイドの右端に連結され、支柱および右ガイドから直交方向に上方へ突出する右取付金具と、上記支柱およびランプセードが貫通する保持孔を備え、支柱と直交方向に上方へ突出し、先端にフックを有する中央係止部材と、を含むことを特徴とする照明装置である。
【発明の効果】
【０００６】
この発明は、照明装置全体を支持するための支柱が、横方向に長い形状をしていても、支柱を金属製とすることによって、その強度が増し、横方向に延びる蛍光管が破損したりすることのない照明装置とすることができる。また、支柱は、中空状にされており、横方向長さが長くなっても、重量が重くなり過ぎることはない。
蛍光管は、支柱の背面側に、支柱の長さ方向に沿って延びるように設けられ、ランプセードで覆われている。このため、照明装置をたとえばハイベッドの床下面に取り付けたとき、蛍光管から照射される光は、主として下方から後方に向けて照射され、前方側に直接照射されない。よって、ハイベッド下方に机の天板等を配置して、ハイベッド下方を机として使用する場合において、照明装置から照射される光が利用者の目に直接入射せず、必要な箇所（天板上面）に光が照射される使い易い照明装置とすることができる。
【０００７】
さらに、照明装置には、支柱の長さ方向中央部を係止する中央係止部材が備えられているので、横方向長さが長いもの（たとえば２０００ｍｍ程度のもの）であっても、照明装置の左右両端のみでなく中央部が係止されるので、安定した取り付けが可能になる。
【発明を実施するための最良の形態】
【０００８】
以下には、図面を参照して、この発明の実施形態について具体的に説明をする。
図１は、この発明の一実施形態に係る照明装置が取り付けられるハイベッドの一例を示す斜視図である。ハイベッド１は、上部に水平にベッド本体２が設けられ、ベッド本体２の左右両側は、高さの高い脚板３により支持されている。そしてベッド本体２下方の空間内には、両端が脚板３で支持されたデスク天板４が水平に配置されている。
【０００９】
概略の寸法を示せば、下端からデスク天板４の上面までの高さＨ1 が約７００ｍｍ、デスク天板４の上面からベッド本体２の下面５までの高さＨ2 が約９００ｍｍ、左右の脚板３間の距離（ベッド本体２下方の空間の幅）Ｗは約２０００ｍｍ、ベッド本体２の奥行き（ベッド本体２下方の空間の奥行き）Ｄは約９００ｍｍ程度である。
この実施形態に係る照明装置は、このハイベッド１のデスク天板４上方を有効に照らすためのもので、ベッド本体２の下面５に沿って配置されるものである。
【００１０】
図２は、ハイベッド１に取り付けられた照明装置２０を上方から見た図であり、ベッド本体２に備えられている床板が取り外された状態で示されている。ベッド本体２は、手前側（図２において右側）に設けられた側枠６、奥側（図２において左側）に設けられた側枠７、長手方向右側（図２において奥側）を囲う頭部枠８、および長手方向左側（図２において手前側）を囲う足部枠９によって区画された平面視長方形状の空間を有し、各枠６〜９の内面には、図示しない床板を乗せるための桟１０，１１，１２，１３が設けられている。
【００１１】
また、側枠６，７の長手方向中央には、桟１０，１１を連結するように、中央支持棒１４が配置されている。
照明装置２０は、ベッド本体２の手前寄り（図２において右寄り）に取り付けられている。具体的には、照明装置２０の右端（図２において奥側）には右取付金具２１が備えられ、この金具２１によって照明装置２０の右端は桟１２に取り付けられている。また、照明装置２０の左端（図２において手前側）には左取付金具２２が備えられ、この金具２２によって照明装置２０の左端は桟１３に取り付けられている。さらに、照明装置２０の中央部には、照明装置２０の長手方向に対して左右に移動可能な中央係止部材２３が備えられており、中央係止部材２３によって照明装置２０のほぼ中央部は中央支持棒１４にぶら下げられている。
【００１２】
図３は、照明装置２０の構成を説明するための図で、Ａは平面図、Ｂは正面図、Ｃは取付金具２１の側面図、Ｄは照明装置の断面構造が一緒に示された中央係止部材２３の側面図である。
次に、図３および図２を参照して、照明装置２０の構成について説明する。
照明装置２０は、横方向に長手の支柱２４を有している。支柱２４は、金属製（たとえばアルミニウム製）で、中空状をした長手部材である。支柱２４の左端部の背面側には左ガイド２５が備えられている。左ガイド２５は、支柱２４と同様、金属製（たとえばアルミニウム製）で、支柱２４の左端部２６から右方向へ所定の長さ（たとえばこの実施形態では３７５ｍｍ）延び、その右端に蛍光管取付部２７を備えている。
【００１３】
また、支柱２４の右端部の背面側には右ガイド２８が設けられている。右ガイド２８は、支柱２４と同様に金属（たとえばアルミニウム）で作られており、支柱２４の右端部２９から左方向へ所定の長さ（この実施形態では３７５ｍｍ）延びている。そして、その左端には蛍光管取付部３０が設けられている。
上述した左ガイド２５および右ガイド２８は、支柱２４の背面側に隣接するように設けられている部材であるが、左ガイド２５および右ガイド２８は、支柱２４と一体的に形成されたものでもよい。
【００１４】
支柱２４の背面沿いには細長い蛍光管３１が配置されている。蛍光管３１は、その左方が蛍光管取付部２７に取り付けられ、その右方が蛍光管取付部３０に取り付けられている。蛍光管３１は、支柱２４の前方側から見たとき、支柱２４によって遮られるように、その直径が支柱２４の上下方向寸法よりも小さな、細長い蛍光管が使用されている。この実施形態では、蛍光管３１の長さは約１２００ｍｍ、直径は約４ｍｍである。なお、支柱２４の上下方向寸法は、この実施形態では約６ｍｍである。
【００１５】
さらに、支柱２４の背面側には、蛍光管３１を覆うランプセード３２が備えられている。ランプセード３２は、左ガイド２５および右ガイド２８間に配置され、断面形状が、後方へ突出する円弧状部を含む形状をしている。そして左ガイド２５および右ガイド２８とほぼ凹凸なく横方向に連なる形状をしている。
照明装置には、さらに、支柱２４の左端部２６および左ガイド２５の左端部に連結され、支柱２４および左ガイド２５から直交方向に上方へ突出する左取付金具２２と、支柱２４の右端部２９および右ガイド２８の右端部に連結され、支柱２４および右ガイド２８から直交方向に上方へ突出する右取付金具２１とが備えられている。左取付金具２２および右取付金具２１は、左右対称形状をしており、上方に向かって略三角形状に突出する金具であり、その上部に取付孔３３があけられている。
【００１６】
さらに、照明装置２０には、支柱２４よびランプセード３２が挿入できる保持孔３４を備え、支柱２４およびランプセード３２の長手方向中央部分を支える中央係止部材２３が備えられている。中央係止部材２３は、たとえば支柱２３と同じアルミニウム製で、支柱２４の長さ方向と直交方向に配置されるメインプレート３５と、メインプレート３５の上部に設けられたフック３６とを有している。メインプレート３５は、その下方が支柱２４およびランプセード３２で構成される照明装置の断面形状輪郭を取り囲む大きさを有し、そこに支柱２４およびランプセード３２が貫通する保持孔３４が形成されている。よって支柱２４およびランプセード３２が保持孔３４に通されることにより、中央係止部材２３により、支柱２４およびランプセード３２の長手方向の任意の位置を保持することができる。そして、中央係止部材２３の位置を左右に調整して、ベッド本体２の中央支持棒１４の位置に合わせ、そのフック３６を中央支持棒１４に引っ掛けることができる。
【００１７】
この実施形態に係る照明装置２０は、以上のように、たとえば横方向寸法が２０００ｍｍ弱程度という、横方向に非常に長い細長い形状をしているが、金属製の支柱２４を有しているため、細長くても湾曲したりすることはなく、安定した構造をしている。そして、その両端および中央部が取付金具２１，２２および中央係止部材２３によって保持されるので、ハイベッドの下面などに安定して取り付けることができる。
【００１８】
さらに、蛍光管取付部２７，３０が支柱２４の背面側にあり、蛍光管３１は支柱２４の背面側に、支柱２４に沿って延びるように配置される。従って、蛍光管３１が発する光が直接前方側には照射されない。このため、照明装置２０が配置された空間の前方側に座った利用者は、蛍光管３１の発する光が目に直接入らないので、眩しさを感じることがない。
【００１９】
なお、図３Ａにおいて３８は電気コードである。また、この照明装置２０の電源のオン／オフスイッチ３９は、たとえば支柱２４の右側下方に配置されている。
この発明は、以上説明した実施形態に限定されるものではなく、請求項記載の範囲内において種々の変更が可能である。
たとえば、上述の実施形態では、ハイベッドの下方の空間にデスク天板を配置し、そのデスク天板上を照らすための構成を説明したが、この発明に係る照明装置は、ハイベッド下方の空間の照明のみならず、横方向に長手のデスク天板上を良好に照らすための照明装置として広く利用することが可能である。
【図面の簡単な説明】
【００２０】
【図１】この発明の一実施形態に係る照明装置が取り付けられるハイベッドの一例を示す斜視図である。
【図２】ハイベッドに取り付けられたこの発明の一実施形態に係る照明装置を説明するための図である。
【図３】この発明の一実施形態に係る照明装置の構成を説明するための平面図、正面図、ならびに金具の側面図および断面図である。
【符号の説明】
【００２１】
１    ハイベッド
４    デスク天板
２０    照明装置
２１    右取付金具
２２    左取付金具
２３    中央係止部材
２４    支柱
２５    左ガイド
２７    蛍光管取付部
２８    右ガイド
３０    蛍光管取付部
３１    蛍光管
３２    ランプセード
３４    保持孔（貫通孔）
３６    フック
【図１】
2006059735.tif 000003
【図２】
2006059735.tif 000004
【図３】
2006059735.tif 000005